(57)【特許請求の範囲】
【請求項１】
放射線を検出して画像データを生成する放射線画像センサと、
前記放射線画像センサを収容する筐体と、
前記筐体の底部に設けられたバッテリー収容部に収容され、前記放射線画像センサに動作電力を供給するバッテリーと、
バッテリー収容部に収容された前記バッテリーを係止する複数のロック機構と、
を備え、
前記ロック機構の各々は、前記バッテリーに係合する係合位置及び非係合位置の間で移動される係合部材と、該係合部材が前記非係合位置から前記係合位置に移動するように該係合部材を付勢する付勢部材と、を有し、該係合部材には、前記バッテリー収容部が設けられた前記筐体の前記底部の外面に該外面から突出して露出する操作部が設けられており、
前記複数のロック機構は、前記係合部材の前記係合位置から前記非係合位置への移動方向が第１方向に設定された第１ロック機構、及び前記第１方向とは異なる第２方向に設定された第２ロック機構を、それぞれ一つ以上含む放射線画像検出装置。
【請求項２】
請求項１に記載の放射線画像検出装置であって、
前記第１方向と前記第２方向とのなす角度は９０度以上である放射線画像検出装置。
【請求項３】
請求項１又は２に記載の放射線画像検出装置において、
前記複数のロック機構は、前記係合部材の前記係合位置から前記非係合位置への移動が直線移動であるロック機構を含む放射線画像検出装置。
【請求項４】
請求項１又は２に記載の放射線画像検出装置において、
前記複数のロック機構は、前記係合部材の前記係合位置から前記非係合位置への移動が回転移動であるロック機構を含む放射線画像検出装置。
【請求項５】
請求項１又は２に記載の放射線画像検出装置において、
前記複数のロック機構は、前記係合部材の前記係合位置から前記非係合位置への移動が直線移動及び回転移動の組み合わせであるロック機構を含む放射線画像検出装置。
【請求項６】
請求項１から５のいずれか一項に記載の放射線画像検出装置であって、
前記放射線画像センサを支持し、前記筐体に収納される基台を備え、
前記ロック機構の各々は、前記基台に支持されている放射線画像検出装置。
【請求項７】
請求項６に記載の放射線画像検出装置であって、
前記基台は、前記バッテリー収容部が設けられた前記筐体部分よりも剛性が高い放射線
画像検出装置。
【請求項８】
請求項６に記載の放射線画像検出装置であって、
前記ロック機構の各々は、前記基台に固定されていることを特徴とする放射線画像検出装置。
【請求項９】
請求項８に記載の放射線画像検出装置であって、
前記ロック機構の各々は、前記バッテリー収容部が設けられた前記筐体部分に固定され、
前記筐体部分は、少なくとも前記ロック機構が固定されている領域を前記基台によって支持されている放射線画像検出装置。
【請求項１０】
請求項１から９のいずれか一項に記載の放射線画像検出装置であって、
前記バッテリー収容部は、前記筐体の底部に凹設されており、
前記バッテリー収容部の深さ方向に関する前記ロック機構の寸法は、前記バッテリー収容部の深さ以下である放射線画像検出装置。
【請求項１１】
請求項１から１０のいずれか一項に記載の放射線画像検出装置であって、
前記バッテリーは、前記バッテリー収容部を囲む側壁部に係合する爪を縁部に有しており、
前記ロック機構は、前記爪が設けられた前記バッテリーの縁部とは反対側の縁部を係止する放射線画像検出装置。
【発明の詳細な説明】
【技術分野】
【０００１】
本発明は、放射線画像検出装置に関する。
【背景技術】
【０００２】
Ｘ線を用いた撮影は、医療診断や非破壊検査等の分野において広く普及している。一般的なＸ線撮影においては、被写体にＸ線を照射し、被写体の各部において減衰を受けて該被写体を透過したＸ線を検出し、その強度分布に基づいて被写体のＸ線画像を得ている。
【０００３】
Ｘ線を検出する検出媒体としては、例えば、Ｘ線に露光されることにより蛍光を発する増感紙とこの蛍光に感光するフイルムとを組み合わせたものや、Ｘ線に露光されることによってＸ線の強度分布を潜像として蓄積し、後にレーザー光等の励起光を照射されることによって潜像に応じた蛍光を発する輝尽性蛍光体（蓄積性蛍光体）が用いられている。
【０００４】
また、検出媒体として、近年では、Ｘ線を検出して電気信号に変換する半導体素子を用いてデジタル画像データを生成するフラットパネル検出器（ＦＰＤ：Flat Panel Detector）もまた用いられており、このＦＰＤが可搬型の筐体に収納されて構成された、いわゆる電子カセッテが実用化されている。
【０００５】
電子カセッテには、典型的には、ＦＰＤに動作電力を供給するバッテリーが搭載される。バッテリーは、充電のため、あるいは充放電の繰り返しによる劣化に伴う交換のため、カセッテに対して着脱可能に構成される（例えば、特許文献１参照）。
【０００６】
特許文献１に記載されたカセッテにおいて、バッテリーは、筐体のバッテリー収容部に収容され、収容部の開口を蓋体によって塞がれることにより、収容部に固定される。この蓋体は、筺体に取り付けられたスライド式の留め金によりロックされ、その開放が規制される。
【先行技術文献】
【特許文献】
【０００７】
【特許文献１】特開２００６‐２５０７２９号公報
【発明の概要】
【発明が解決しようとする課題】
【０００８】
カセッテは、種々の場所に携行されて使用されるが、例えば設置の際にカセッテを設置面上で摺動させた場合などにおいて、設置面と接触するカセッテの接触面にロック機構が配置されていると、摺動に伴いロック機構が誤って解除されてしまう虞がある。
【０００９】
本発明は、上述した事情に鑑みなされたものであり、バッテリーの固定を確実に行うことができる放射線画像検出装置を提供することを目的とする。
【課題を解決するための手段】
【００１０】
放射線を検出して画像データを生成する放射線画像センサと、前記放射線画像センサを収容する筐体と、前記筐体の底部に設けられたバッテリー収容部に収容され、前記放射線画像センサに動作電力を供給するバッテリーと、バッテリー収容部に収容された前記バッテリーを係止する複数のロック機構と、を備え、前記ロック機構の各々は、前記バッテリーに係合する係合位置及び非係合位置の間で移動される係合部材と、該係合部材が前記非係合位置から前記係合位置に移動するように該係合部材を付勢する付勢部材と、を有し、該係合部材には、前記バッテリー収容部が設けられた前記筐体の前記底部の外面に該外面から突出して露出する操作部が設けられており、前記複数のロック機構は、前記係合部材の前記係合位置から前記非係合位置への移動方向が第１方向に設定された第１ロック機構、及び前記第１方向とは異なる第２方向に設定された第２ロック機構を、それぞれ一つ以上含む放射線画像検出装置。
【発明の効果】
【００１１】
本発明によれば、複数のロック機構を備え、さらに、それらのロック機構に含まれる一つ以上の第１ロック機構と一つ以上の第２ロック機構とでは、バッテリーに係合する係合部材の係合位置から非係合位置への移動方向が互いに異なり、第１ロック機構及び第２ロック機構が同時に解除される可能性が低減される。それにより、バッテリーの固定を確実に行うことができる。
【図面の簡単な説明】
【００１２】
【図１】本発明の実施形態を説明するための、放射線画像検出装置の一例の構成を分解して示す斜視図である。
【図２】図１の放射線画像検出装置の放射線画像センサの構成を示す模式図である。
【図３】図１の放射線画像検出装置の内部構成を示す断面図である。
【図４】図１の放射線画像検出装置のバッテリー収容部及びその周辺の構成を拡大して示す断面図である。
【図５】図１の放射線画像検出装置に用いられるロック機構の一例の構成を示す斜視図である。
【図６】図５のロック機構の動作示す模式図である。
【図７】ロック機構の他の例の構成を示す斜視図である。
【図８】ロック機構の他の例の構成を示す斜視図である。
【図９】ロック機構の他の例の構成を示す斜視図である。
【図１０】ロック機構の他の例の構成を示す断面図である。
【図１１】図１の放射線画像検出装置におけるロック機構の配置及びそのロック機構のロック解除方向の設定の一例を示す模式図である。
【図１２】図１の放射線画像検出装置におけるロック機構の配置及びそのロック機構のロック解除方向の設定の一例を示す模式図である。
【図１３】図１の放射線画像検出装置におけるロック機構の配置及びそのロック機構のロック解除方向の設定の一例を示す模式図である。
【図１４】図１の放射線画像検出装置におけるロック機構の配置及びそのロック機構のロック解除方向の設定の一例を示す模式図である。
【図１５】図１の放射線画像検出装置におけるロック機構の配置及びそのロック機構のロック解除方向の設定の一例を示す模式図である。
【図１６】本発明の実施形態を説明するための、放射線画像検出装置の他の例の構成を示す斜視図である。
【発明を実施するための形態】
【００１３】
図１は、本発明の実施形態を説明するための、放射線画像検出装置の一例の構成を分解して示す。
【００１４】
図１に示すＸ線画像検出装置１は、いわゆる電子カセッテであって、ＦＰＤ２、ＦＰＤ２を支持する基台３、ＦＰＤ２及び基台３を収納する筐体４と、ＦＰＤ２に動作電力を供給するバッテリー５とを備えている。
【００１５】
筐体４は、略矩形状の天板部１０及び天板部１０の四辺の縁部に立設された枠状の側壁部１１を有するフロント部材１２と、フロント部材１２の底部開口を塞ぐバック部材１３とで構成されている。フロント部１２材及びバック部材１３が互いに組み合わされることにより、遮光された箱型の閉空間が形成され、ＦＰＤ２及び基台３は、閉空間に収納されている。
【００１６】
被写体を透過したＸ線は、フロント部材１２の天板部１０を透過して、筐体内部に収納されたＦＰＤ２に入射する。天板部１０は、Ｘ線透過率に優れる材料によって形成され、強度重量比なども考慮して、典型的にはアルミニウムやマグネシウムなどの軽金属材料や、炭素繊維強化樹脂（ＣＦＲＰ：carbon fiber reinforced plastics）などの樹脂材料が用いられる。
【００１７】
そして、本Ｘ線画像検出装置１においては、フロント部材１２の側壁部１１は、天板部１０と同一の材料によって一体に形成されている。天板部１０及び側壁部１１が一体に形成されることによって、フロント部材１２の強度が向上し、特に天板部１０のねじれに対する耐性が向上する。
【００１８】
天板部１０及び側壁部１１を形成する材料として、上記のアルミニウムやマグネシウムを用いる場合には、例えばダイカスト成形により、また、炭素繊維強化樹脂を用いる場合には、例えば圧縮成形により、天板１０部及び側壁部１１を一体に形成することができる。
【００１９】
天板部１０及び側壁部１１が一体に形成されることにより、図示の例のように、フロント部材１２の四隅の角部の面取りを容易に行うことができる。
【００２０】
筐体４の底部を構成するバック部材１３には、詳細は後述するが、バッテリー収容部１４が設けられており、バッテリー５は、このバッテリー収容部１４に収容される。
【００２１】
なお、バック部材１３についても、強度重量比などを考慮して、典型的にはアルミニウムやマグネシウムなどの軽金属材料や、ＣＦＲＰなどの樹脂材料を用いて形成されている。
【００２２】
図２は、ＦＰＤ２の構成を示す。
【００２３】
ＦＰＤ２は、Ｘ線を電荷に変換して蓄積する複数の画素２０が、アクティブマトリクス型の薄膜トランジスタ（ＴＦＴ：Thin Film Transistor）アレイ基板上に２次元状に配列されてなる受像部２１と、受像部２１からの電荷の読み出しタイミングを制御する走査回路２２と、各画素２０に蓄積された電荷を読み出し、読み出された電荷を画像データに変換して記憶する信号処理回路２３と、画像データを外部機器に送信するデータ送信回路２４とから構成されている。走査回路２２と各画素２０とは、行毎に走査線２５によって接続されており、信号処理回路２３と各画素２０とは、列毎に信号線２６によって接続されている。
【００２４】
各画素２０は、アモルファスセレン等の変換層（図示せず）でＸ線を電荷に直接変換し、変換された電荷を変換層の下部の電極に接続されたキャパシタに蓄積する直接変換型の素子として構成することができる。なお、各画素２０は、酸化ガドリニウム（Ｇｄ２Ｏ３）や硫酸化ガドリニウム（Ｇｄ２Ｏ２Ｓ）やヨウ化セシウム（ＣｓＩ）等からなるシンチレータ（図示せず）でＸ線を一旦可視光に変換し、変換された可視光をフォトダイオード（図示せず）で電荷に変換して蓄積する間接変換型のＸ線検出素子として構成することも可能である。
【００２５】
各画素２０には、ＴＦＴスイッチ素子（図示せず）が接続され、ＴＦＴスイッチのゲート電極が走査線２５に、ソース電極がキャパシタに、ドレイン電極が信号線２６にそれぞれ接続される。ＴＦＴスイッチが走査回路２２からの駆動パルスによってＯＮ状態になると、キャパシタに蓄積された電荷が信号線２６に読み出される。
【００２６】
信号処理回路２３は、積分アンプ回路、Ａ／Ｄ変換器、補正回路、及び画像メモリ（いずれも図示せず）により構成されている。積分アンプ回路は、各画素２０から信号線２６を介して出力された電荷を積分して電圧信号（画像信号）に変換して、Ａ／Ｄ変換器に入力する。Ａ／Ｄ変換器は、入力された画像信号をデジタルの画像データに変換して補正回路に入力する。補正回路は、画像データに対して、オフセット補正やゲイン補正などの補正処理を行い、補正後の画像データを画像メモリに記憶させる。
【００２７】
以上の各画素２０及び各回路２２，２３，２４には、バッテリー５を含む電源部２７から動作電力が供給される。なお、電源部２７と各画素２０及び各回路２２，２３，２４を接続する配線は図示を省略されている。
【００２８】
図３は、Ｘ線画像検出装置１の構成を断面で示し、図４は、バッテリー収容部１４及びその周辺の構成を示す。
【００２９】
ＦＰＤ２は、天板部１０に対向する基台３の表面に受像部２１を、また、基台３の裏面に走査回路２２（図２）や信号処理回路２３などが実装された回路基板２８を、それぞれ取り付けられて基台３に支持されている。受像部２１と回路基板２８とは、フレキシブル回路基板２９を用いて接続されている。
【００３０】
基台３は、比較的剛性に優れる基材３０を含んで構成され、図示の例においては、さらに基台３の裏面に取り付けられる回路基板２８をＸ線から遮蔽するためのＸ線遮蔽材３１が基材３０に積層されて構成されている。また、基台３は、その剛性により、ＦＰＤ２のＴＦＴアレイ基板の補強の役割も果たす。
【００３１】
基材３０としては、強度重量比を考慮して、例えば、アルミニウムやマグネシウムなどの軽金属材料や、ＣＦＲＰなどの樹脂材料を用いることができる。また、Ｘ線遮蔽材３１としては、例えば、鉛やタングステンやモリブデンなどのＸ線吸収能に優れる重金属材料を用いることができる。
【００３２】
基台３は、バック部材１３に設けられるバッテリー収容部１４に干渉しないように、バック部材１３との間に適宜なスペーサ３２を介在させ、バック部材１３に固定されている。
【００３３】
本Ｘ線画像検出装置１において、バッテリー収容部１４は、バック部材１３の一部がフロント部材１２の天板部１０側に突出するように成形されることによって形成された凹部として構成されている。なお、バッテリー収容部１４は、バック部材１３とは別に、同様の凹部を有するハウジング部材によって構成されてもよく、その場合には、バック部材１３には、上記のハウジング部材が装着される適宜な開口部が設けられ、ハウジング部材は、接着等の適宜な手段によって、その開口部に装着される。
【００３４】
バッテリー収容部１４の四方を囲む側壁部のうち一の側壁部には、対向するバッテリー５の縁部に設けられた爪５ａが係合する係合凹部１４ｃが設けられている。そして、係合凹部１４ｃが設けられた側壁部を除く他の側壁部（図示の例においては、係合凹部１４ｃが設けられた側壁部とは反対側の側壁部）には、バッテリー収容部１４に収容されたバッテリー５を係止するためのロック機構４０が設けられている。バッテリー５は、爪５ａを係合凹部１４ｃに係合させ、ロック機構４０により係止されることによって、バッテリー収容部１４内において固定される。
【００３５】
ロック機構４０は、バッテリー収容部１４に収容されたバッテリー５に係合する凸部４１、及び操作部４２が設けられた係合部材４３を有している。バッテリー収容部１４を囲む四方の側壁部において、ロック機構４０が隣設される側壁部１４ａには窓１４ｂが形成されており、係合部材４３の凸部４１は、窓１４ｂを通してバッテリー収容部１４内に突出している。また、係合部材４３の操作部４２は、バック部材１３に設けられた窓１３ａを通して、バック部材１３の外面に露呈している。
【００３６】
本Ｘ線画像検出装置１において、基台３は、バッテリー収容部１４が設けられたバック部材１３よりも高剛性に構成されており、ロック機構４０は、この基台３に固定され、基台３によって支持されている。基台３を構成する基材３０及びバック部材１３は、典型的には、アルミニウムやマグネシウムなどの軽金属材料やＣＦＲＰなどの樹脂材料を用いて形成され、例えば、基材３及びバック部材１３が同一の材料によって形成される場合には、基材３をバック部材１３に比べて厚く形成することによって基台３を高剛性に構成することができる。一般に、Ｘ線画像検出装置は規格によって定められた外形サイズとされ、その制約下においてＦＰＤ２等を収容する筐体内部の容積をなるべく多く確保するため、フロント部材１２やバック部材１３は比較的薄く形成される。そのようにして容積を確保された筐体内部に収納される基台３は、フロント部材１２やバック部材１３に比較して、その厚みを大きく取り易い。
【００３７】
なお、バック部材１３の外面に対して垂直な方向に関するロック機構４０の寸法は、バッテリー収容部１４を構成する凹部の深さと同等か、あるいは凹部の深さよりも小さくすることが好ましい。これは、ロック機構４０の寸法を凹部の深さよりも大きくしてしまうと凹部のへこみ面と基台３との間に無駄な隙間を生じてしまうことになるためである。ロック機構４０の寸法を凹部の深さと同等か、あるいは凹部の深さよりも小さくすることで、図３からもわかるように無駄な隙間を生じずＸ線画像検出装置１の全体の厚みを最も薄くすることができる。言い換えれば規格によって定められた外形サイズにおいてはＸ線画像検出装置の中の空間を最大限とすることができ、これにより例えば前述したように基台３の厚みを大きめに確保でき落下の衝撃に強いＸ線画像検出装置とすることができる等のメリットがある。
【００３８】
図５は、ロック機構４０の構成を示す。
【００３９】
ロック機構４０は、上記の係合部材４３と、ガイドレール４４と、バネ４５とで構成されている。係合部材４３は、ガイドレール４４に沿って移動するスライダとして構成され、ガイドレール４４は、スライダ４３を移動可能に支持している。バネ４５は、ガイドレール４４に沿って移動するスライダ４３を、その移動方向に付勢する。以上の構成において、ガイドレール４４は基台３に固定されており、ロック機構４０は基台３によって支持されている。
【００４０】
ロック機構４０が隣設されるバッテリー収容部１４の側壁部１４ａに対向するバッテリー５の側部には、スライダ４３の凸部４１と係合する凹部４６が設けられている。スライダ４３がガイドレール４４の一方の端部側（係合位置）にあるときに、スライダの凸部とバッテリーの凹部とが係合し、スライダがガイドレールの他方の端部側（非係合位置）にあるときには、スライダ４３の凸部４１とバッテリー５の凹部４６との係合が解除される。バネ４５は、スライダ４３が非係合位置から係合位置に向けて移動するようにスライダ４３を付勢している。ロック機構４０は、スライダ４３の凸部４１をバッテリー５の凹部４６に係合させることによって、バッテリー５をロックし、バッテリー収容部１４内に保持する。
【００４１】
ロック機構４０において、ガイドレール４４は、バッテリー収容部１４が設けられたバック部材１３の外面と略平行に、かつロック機構４０が隣設されるバッテリー収容部１４の側壁部１４ａに沿う方向（図中ｘ軸方向）に延びて設けられている。従って、スライダ４３を係合位置から非係合位置へ移動させる操作部４２の操作方向（ロック解除方向）は、ロック機構４０が隣設されるバッテリー収容部１４の側壁部１４ａに沿う直線方向となっている。
【００４２】
図６は、ロック機構４０の動作を示す。
【００４３】
バッテリー５がバッテリー収容部１４に装着される場合に、まず、スライダ４３は、バネ４５に付勢されて係合位置Ｐ１にある（ＦＩＧ．６Ａ）。バッテリー５がバッテリー収容部１４内に挿入されると、スライダ４３の凸部４１は、バッテリー５の凹部４６に連なる肩部４７に当接する。凸部４１における肩部４７との当接面４１ａはｘ軸方向に勾配を有する傾斜面とされており、バッテリー５の挿入に伴って、肩部４７は凸部４１の傾斜面４１ａ上を摺動しつつ、バネ４５の付勢に抗してスライダ４３を非係合位置Ｐ２に向けて押し込む（ＦＩＧ．６Ｂ）。バッテリー５がバッテリー収容部１４内に完全に挿入されると、凸部４１は、相対的に肩部４７を乗り越え、スライダ４３の移動方向に凹部４６を臨む位置に達し、そこでスライダ４３がバネ４５に付勢されて自動的に係合位置Ｐ１に押し戻され、凸部４１が、凹部４６内に進入して、凹部４６と係合する（ＦＩＧ．６Ｃ）。また、無理に押し込んだ場合に、傾斜面４１ａがあることにより、力が分散され破損防止にもなる。
【００４４】
バッテリー５がバッテリー収容部１４から取り外される場合には、バック部材１３の外面に露呈したスライダ４３の操作部４２がユーザによってロック解除方向に操作されてスライダ４３が係合位置から非係合位置に移動され、スライダの凸部とバッテリーの凹部との係合が解除される。それにより、バッテリーは取り外し可能な状態となる。バッテリーが取り外され、操作部の操作が解除されると、スライダは、バネに付勢されて自動的に係合位置に押し戻される。
【００４５】
図７は、ロック機構の他の例の構成を示す。
【００４６】
図７に示すロック機構５０は、ロック機構が隣設されるバッテリー収容部１４の側壁部１４ａに略直交する方向（図中ｙ軸方向）にガイドレール４４が延びて設けられており、スライダ４３を係合位置Ｐ１から非係合位置Ｐ２に移動させる操作部４２の操作方向（ロック解除方向）が、このロック機構が隣設されるバッテリー収容部１４の側壁部１４ａに略直交する直線方向となっている点で、図５に示すロック機構４０と異なる。その他の構成は、図５に示すロック機構と共通している。
【００４７】
バッテリー５がバッテリー収容１４部に装着される場合に、まず、スライダ４３は、バネ４５に付勢されて係合位置Ｐ１にある。バッテリー５がバッテリー収容部１４内に挿入されると、スライダ４３の凸部４１は、バッテリー５の凹部４６に連なる肩部４７に当接する。凸部４１における肩部４７との当接面４１ａはｙ軸方向に勾配を有する傾斜面とされており、バッテリー５の挿入に伴って、肩部４７は凸部４１の傾斜面４１ａ上を摺動しつつ、バネ４５の付勢に抗してスライダ４３を非係合位置Ｐ２に向けて押し込む。バッテリー５がバッテリー収容部１４内に完全に挿入されると、凸部４１は、相対的に肩部４７を乗り越え、スライダ４３の移動方向に凹部４６を臨む位置に達し、そこでスライダ４３がバネ４５に付勢されて自動的に係合位置Ｐ１に押し戻され、凸部４１が、凹部４６内に進入して、凹部４６と係合する。
【００４８】
図８は、ロック機構の他の例の構成を示す。
【００４９】
図８に示すロック機構６０は、係合部材６３と、軸部材６４と、バネ６５とで構成されている。係合部材６３は、軸部材６４の軸まわりに回転する回転部材として構成され、軸部材６４に支持される被支持部６３ａと、被支持部６３ａから伸びる腕部６３ｂとを有し、凸部６１及び操作部６２は腕部６３ｂの先端部に設けられている。バネ６５は、軸部材６４を中心に回転する係合部材６３を、その回転方向に非係合位置Ｐ２から係合位置Ｐ１に向けて付勢する。以上の構成において、軸部材６４は基台３に固定されており、ロック機構６０は基台３によって支持されている。
【００５０】
図８に示す例において、軸部材６４は、バッテリー収容部１４が設けられたバック部材１３の外面に略直交する方向（図中ｚ軸方向）に延びて設けられている。従って、係合部材６３を係合位置Ｐ１から非係合位置Ｐ２に移動させる操作部６２の操作方向（ロック解除方向）は、バック部材１３の外面に略平行な平面（ｘｙ平面）内における軸部材６４を中心とする円弧方向となっている。
【００５１】
バッテリー５がバッテリー収容部１４に装着される場合に、まず、係合部材６３は、バネ６５に付勢されて係合位置Ｐ１にある。バッテリー５がバッテリー収容部１４内に挿入されると、係合部材６３の凸部６１は、バッテリーの凹部４６に連なる肩部４７に当接する。凸部６１における肩部４７との当接面６１ａはｙ軸方向に勾配を有する傾斜面とされており、バッテリー５の挿入に伴って、肩部４７は凸部６１の傾斜面６１ａ上を摺動しつつ、バネ６５の付勢に抗して係合部材６３を非係合位置Ｐ２に向けて押し込む。バッテリー５がバッテリー収容部１４内に完全に挿入されると、凸部６１は、相対的に肩部４７を乗り越え、係合部材６３の回転方向に凹部４６を臨む位置に達し、そこで係合部材６３がバネ６５に付勢されて自動的に係合位置Ｐ１に押し戻され、凸部６１が、凹部４６内に進入して、凹部４６と係合する。
【００５２】
なお、ロック機構としては、上述のものに限られず、例えば、図５に示すロック機構（スライダ４３及びガイドレール４４並びにバネ４５）と図８に示すロック機構（係合部材６３及び軸部材６４並びバネ６５）とを組み合わせて、図９に示す構成とすることもできる。図９に示す例においては、ロック機構７０は、係合部材６３と、ｚ軸方向に延びる軸部材６４と、スライダ４３と、ｘ方向に延びるガイドレール４４と、第１バネ４５及び第２バネ６５とで構成されている。スライダ４３は、ガイドレール４４に沿って移動し、ガイドレール４４は、スライダ４３を移動可能に支持している。軸部材６４はスライダ４３に固定されており、スライダ４３と一体に、ガイドレール４４に沿って移動する。係合部材６３は、軸部材６４の軸まわりに回転する回転部材として構成され、軸部材６４に支持される被支持部６３ａと、被支持部６３ａから伸びる腕部６３ｂとを有し、凸部６１及び操作部６２は腕部６３ｂの先端部に設けられている。第１バネ４５は、ガイドレール４４に沿って移動するスライダ４３を、その移動方向に非係合位置Ｐ２ａから係合位置Ｐ１ａに向けて付勢し、第２バネ６５は、軸部材６４を中心に回転する係合部材６３を、その回転方向に非係合位置Ｐ２ｂから係合位置Ｐ１ｂに向けて付勢する。以上の構成において、ガイドレール４４が基台３に固定されており、ロック機構７０は基台３によって支持されている。
【００５３】
図９に示す例において、係合部材６３を係合位置Ｐ１ｂから非係合位置Ｐ２ｂに移動させる操作部６２の操作方向（ロック解除方向）は、スライダ４３を係合位置Ｐ１ａから非係合位置Ｐ２ａに移動させる操作方向との合成により、ロック機構７０が隣設されるバッテリー収容部１４の側壁部１４ａに対して傾斜した略直線方向となる。
【００５４】
図５、図７、図８、及び図９に示す上記のロック機構４０，５０，６０，７０によれば、バッテリー５がバッテリー収容部１４に装着される際などに収容部１４が設けられたバック部材１３に局所的な外力が作用してバック部材１３に撓みが生じた場合にも、これらのロック機構は、バック部材１３よりも高剛性の基台３によって安定に支持され、その動作が円滑に保たれる。それにより、ロック機構によるバッテリー５のロックを確実に行うことができる。特に、これらのロック機構においては、バネ４５，６５に付勢されることによって係合部材４３，６３が自動的に係合位置に復帰してバッテリー５をロックするように構成されており、かかる動作を円滑に保つうえで、ロック機構を安定に支持することは有用である。
【００５５】
また、上記のロック機構４０，５０，６０，７０においては、バネ４５，６５に付勢されることによって係合部材４３，６３が自動的に係合位置に復帰してバッテリー５をロックするように構成されており、バッテリー５をバッテリー収容部１４に押し込むワンアクションでバッテリー５の装着が完了し、取り扱いが容易となる。
【００５６】
上記のロック機構４０，５０，６０，７０は、いずれもガイドレール４４ないし軸部材６４が基台３に固定され、直接的に基台３に支持されているが、以下に説明するロック機構は、バック部材１３に固定され、バック部材１３を介して間接的に基台３に支持される。
【００５７】
図１０は、図５に示すロック機構の変形例の構成を示す。
【００５８】
図１０に示すロック機構８０は、バッテリー収容部１４の内においてバッテリー収容部１４の側壁部１４ａに隣設されており、ロック機構８０を構成するガイドレール４４は、収容部１４の底壁部１４ｂに固定されている。そして、ガイドレール４４が固定されたバッテリー収容部１４の底壁部１４ｂは、ガイドレール４４が固定される側とは反対側の面を基台３によって支持されている。以上の構成において、ロック機構８０は、バック部材１３を介して間接的に基台３に支持される。
【００５９】
なお、バッテリー収容部１４の開口部には、バッテリー５が抜き差しされる開口８１ａ及びスライダ４３の凸部４１及び操作部４２をそれぞれ露出させる窓８１ｂ，８１ｃが設けられた適宜な外装部材８１が固着されており、ロック機構８０は、この外装部材８１によって覆われている。
【００６０】
ロック機構８０の動作は、図５に示すロック機構４０の動作と同様であるので、説明は省略する。
【００６１】
ロック機構８０によれば、バッテリー５がバッテリー収容部１４に装着される際などにバック部材１３に撓みが生じた場合にも、ロック機構８０は、バック部材１３に加えて基台３によっても支持されており、バック部材１３にのみ支持されている場合に比べて安定に支持され、その動作が円滑に保たれる。それにより、ロック機構８０によるバッテリー５のロックを確実に行うことができる。なお、ロック機構８０がバック部材１３を介して間接的に基台３に支持される構成においては、必ずしも基台３はバック部材１３に比べて高剛性である必要はないが、ロック機構８０を安定に支持する観点においては、基台３は高剛性であることが好ましい。また、ロック機構８０が固定されるバック部材１３の剛性が十分に確保される場合には、基台３による支持を省くこともできる。
【００６２】
図７に示すロック機５０構及び図９に示すロック機構７０についても、ガイドレール４４を収容部１４の底壁部１４ｂに固定し、この底壁部１４ｂを基台３によって支持することにより、バック部材１３を介して間接的に基台３に支持されるように構成することができる。また、図８に示すロック機構６０についても、軸部材６４を収容部１４の底壁部１４ｂに固定し、この底壁部１４ｂを基台３によって支持することによって、バック部材１３を介して間接的に基台３に支持されるように構成することができる。
【００６３】
本Ｘ線画像検出装置１は、図５に示すロック機構を複数用い、それらのロック機構のロック解除方向に、少なくとも互いに異なる二つの方向が含まれるように構成されている。
【００６４】
図１１は、ロック機構の配置及びロック解除方向の設定の一例を示す。
【００６５】
図１１に示す例においては、図５に示すロック機構４０が二つ用いられており、これらのロック機構４０は、バッテリー５の爪５ａが係合するバッテリー収容部１４の側壁部とは反対側の側壁部に隣設されている。そして、一方のロック機構４０におけるロック解除方向は、上記の側壁部に沿った第１方向Ｄ１に設定されており、他方のロック機構４０におけるロック解除方向は、第１方向とは反対の第２方向Ｄ２に設定されている。
【００６６】
図１２は、ロック機構の配置及びロック解除方向の設定の他の例を示す。
【００６７】
図１２に示す例においては、図７に示すロック機構５０が二つ用いられており、これらのロック機構５０は、バッテリー５の爪５ａが係合するバッテリー収容部１４の側壁部と交わる互いに平行な一対の側壁部の各々に隣設されている。そして、一方のロック機構５０におけるロック解除方向は、上記の側壁部に略直交する第１方向Ｄ１に設定されており、他方のロック機構５０におけるロック解除方向は、第１方向とは反対の第２方向Ｄ２に設定されている。
【００６８】
なお、図１１や図１２に示すように、ロック機構は、爪５ａが設けられたバッテリー５の縁部とは反対側の縁部を係止する、つまりは、バッテリー５の爪５ａとバッテリー収容部１４の側壁部との係合箇所から出来る限り離した方が好ましい。離すことにより、バッテリー５を止める力は少なくてよく、カセッテを持ち運びなどで動かした際に、より外れにくくなる。
【００６９】
図１３は、ロック機構の配置及びロック解除方向の設定の一例を示す。
【００７０】
図１３に示す例においては、図８に示すロック機構６０が二つ用いられており、これらのロック機構６０は、バッテリー５の爪５ａが係合するバッテリー収容部１４の側壁部とは反対側の側壁部に隣設されている。そして、一方のロック機構６０におけるロック解除方向は、バック部材１３の外面に略平行な平面（ｘｙ平面）内における時計回りの第１方向Ｄ１に設定されており、他方のロック機構６０におけるロック解除方向は、第１方向とは反対の時計回りの第２方向Ｄ２に設定されている。
【００７１】
図１４は、ロック機構の配置及びロック解除方向の設定の一例を示す。
【００７２】
図１４に示す例においては、図９に示すロック機構７０が二つ用いられており、これらのロック機構７０は、バッテリー５の爪５ａが係合するバッテリー収容部１４の側壁部とは反対側の側壁部に隣設されている。そして、一方のロック機構７０におけるロック解除方向は、上記の側壁部に対して所定の角度で傾斜した第１方向Ｄ１に設定されており、他方のロック機構７０におけるロック解除方向は、第１方向とは異なる角度で上記の側壁部に対して傾斜した第２方向Ｄ２に設定されている。
【００７３】
図１５は、ロック機構の配置及びロック解除方向の設定の他の例を示す。
【００７４】
図１５に示す例においては、図５に示すロック機構４０及び図７に示すロック機構５０が各々一つずつ用いられており、これらのロック機構４０，５０は、バッテリー５の爪５ａが係合するバッテリー収容部１４の側壁部とは反対側の側壁部に隣設されている。そして、ロック機構４０におけるロック解除方向は、上記の側壁部に沿った第１方向Ｄ１に設定されており、ロック機構５０におけるロック解除方向は、上記の側壁部に略直交する、つまりは第１方向Ｄ１に略直交する第２方向Ｄ２に設定されている。
【００７５】
このように構成されたＸ線画像検出装置１によれば、Ｘ線画像検出装置１の設置面等の他の部材の表面とバック部材１３の外面との間の摺動に伴って、バック部材１３の外面に露呈する二つのロック機構の各々の操作部４２に力が作用した場合に、各操作部４２に作用する力の作用方向は同一であるのに対して、二つのロック機構のロック解除方向は互いに異なっていることから、二つのロック機構が同時に解除される可能性が低減される。それにより、バッテリー５を確実に固定しておくことができる。
【００７６】
第１方向Ｄ１と第２方向Ｄ２とのなす角度は９０度（例えば図１５参照）以上であることが好ましく、１８０度（例えば図１１及び図１２参照）であることがより好ましい。このように構成されることによって、Ｘ線画像検出装置１が設置される設置面とバック部材１３の外面との摺動に伴って、バック部材１３の外面に露呈する二つのロック機構の各々の操作部４２に作用する同一作用方向の力に対して、二つのロック機構が同時に解除される可能性が一層低減される。
【００７７】
以上、二つのロック機構のロック解除方向が互いに異なる方向となるように構成された例を説明したが、ロック機構は、二つに限られるものではなく、三つ以上設けられていてもよく、その場合に、それらのロック機構のロック解除方向に、少なくとも互いに異なる二つの方向が含まれていればよい。
【００７８】
図１６は、本発明の実施形態を説明するための、放射線画像検出装置の他の例の構成を示す。なお、上述したＸ線画像検出装置１と共通する要素には、共通の符号を付することにより説明を省略する。
【００７９】
図１６に示すＸ線画像検出装置１０１は、いわゆる電子カセッテであって、ＦＰＤ２及び基台３を収納した筐体４と、ＦＰＤ２に動作電力を供給するバッテリー５とを備えている。
【００８０】
バッテリー収容部１４は、筐体４を構成するフロント部材１２の四方の側壁部１１のうちの一の側壁部１１ａに設けられている。そして、バッテリー収容部１４が設けられた側壁部１１ａの長手方向に収容部を挟むように二つのロック機構が設けられている。ロック機構としては、ロック解除方向が、そのロック機構が隣設されるバッテリー収容部１４の側壁部１４ａに略直交する直線方向となる図７に示すロック機構５０を用いることができる。
【００８１】
そして、一方のロック機構５０におけるロック解除方向は、バッテリー収容部１４が設けられたフロント部材１２の側壁部１１に沿った第１方向Ｄ１に設定されており、他方のロック機構５０におけるロック解除方向は、第１方向Ｄ１とは反対の第２方向Ｄ２に設定されている。
【００８２】
このように構成されたＸ線画像検出装置１０１によれば、持ち運びのためのジャケットや、補強のためのジャケットや、グリッドを取り付けるためのジャケットなどの他の部材の表面とバッテリー収容部１４が設けられたフロント部材１２の側壁部１１の外面との間の摺動に伴って、側壁部１１の外面に露呈する二つのロック機構の各々の操作部４２に力が作用した場合に、各操作部４２に作用する力の作用方向は同一であるのに対して、二つのロック機構のロック解除方向は互いに異なっていることから、二つのロック機構が同時に解除される可能性が低減される。それにより、バッテリー５を確実に固定しておくことができる。また、側面に取り付けることにより、血液等に対する防滴性能も向上する。
【００８３】
以上説明したバッテリーのロック機構は、特に医療用の電子カセッテで利便性が高い。電子カセッテは従来のカセッテに比較して連続撮影が可能であるために、従来のように一人の患者の撮影に一つのカセッテを使うというわけではなく、複数患者の撮影に一つの電子カセッテで撮影ができる。このために、一の撮影室に一つの電子カセッテがあればよいわけだが、バッテリー切れになった場合に充電する時間使用できなくなると困るため一つの電子カセッテに対してバッテリーは複数用意し、バッテリー切れになった時に次々と交換して撮影することが普通に考えられる。またそもそも電子カセッテは医療機器であり、一般的な民生機器に比較し高額になりがちなことも、この一つの電子カセッテに対して複数のバッテリーを交換して使用する運用にせざるを得ない理由の一つである。このため、バッテリーの交換回数が多いことが想定され、着脱が簡便であることの運用面での利便性の効果は非常に大きい。また撮影中にバッテリーが誤って外れてしまうと撮影が失敗し患者が無駄なＸ線の被ばくをしてしまうため、これを確実に防止することも重要である。これらに鑑み、簡便に取り付け取り外しができ、かつ誤って外れてしまわない本発明のロック機構を設ければ撮影の作業効率と安全性が向上し利便性が著しく向上するものである。
【００８４】
以上の説明においては、放射線として一般的なＸ線を用いる場合について説明したが、本発明はＸ線に限られるものではなく、α線、γ線等のＸ線以外の放射線を用いることも可能である。
【００８５】
以上、説明したように、本明細書には、下記（１）〜（１２）の放射線画像検出装置が開示されている。
【００８６】
（１）  放射線を検出して画像データを生成する放射線画像センサと、前記放射線画像センサを収容する筐体と、前記筐体に設けられたバッテリー収容部に収容され、前記放射線画像センサに動作電力を供給するバッテリーと、バッテリー収容部に収容された前記バッテリーを係止する複数のロック機構と、を備え、前記ロック機構の各々は、前記バッテリーに係合する係合位置及び非係合位置の間で移動される係合部材を有し、該係合部材には、前記バッテリー収容部が設けられた筐体部分の外面に露出する操作部が設けられており、前記複数のロック機構は、前記係合部材の前記係合位置から前記非係合位置への移動方向が第１方向に設定された第１ロック機構、及び前記第１方向とは異なる第２方向に設定された第２ロック機構を、それぞれ一つ以上含む放射線画像検出装置。
（２）  上記（１）の放射線画像検出装置であって、前記第１方向と前記第２方向とのなす角度は９０度以上である放射線画像検出装置。
（３）  上記（１）又は（２）の放射線画像検出装置において、前記複数のロック機構は、前記係合部材の前記係合位置から前記非係合位置への移動が直線移動であるロック機構を含む放射線画像検出装置。
（４）  上記（１）又は（２）の放射線画像検出装置において、前記複数のロック機構は、前記係合部材の前記係合位置から前記非係合位置への移動が回転移動であるロック機構を含む放射線画像検出装置。
（５）  上記（１）又は（２）の放射線画像検出装置において、前記複数のロック機構は、前記係合部材の前記係合位置から前記非係合位置への移動が直線移動及び回転移動の組み合わせであるロック機構を含む放射線画像検出装置。
（６）  上記（１）から（５）のいずれか一つの放射線画像検出装置であって、前記ロック機構の各々は、前記係合部材が前記非係合位置から前記係合位置に移動するように該係合部材を付勢する付勢部材を有している放射線画像検出装置。
（７）  上記（１）から（６）のいずれか一つの放射線画像検出装置であって、前記放射線画像センサを支持し、前記筐体に収納される基台を備え、前記ロック機構の各々は、前記基台に支持されている放射線画像検出装置。
（８）  上記（７）の放射線画像検出装置であって、前記基台は、前記バッテリー収容部が設けられた前記筐体部分よりも剛性が高い放射線画像検出装置。
（９）  上記（７）の放射線画像検出装置であって、前記ロック機構の各々は、前記基台に固定されていることを特徴とする放射線画像検出装置。
（１０）  上記（９）の放射線画像検出装置であって、前記ロック機構の各々は、前記バッテリー収容部が設けられた前記筐体部分に固定され、前記筐体部分は、少なくとも前記ロック機構が固定されている領域を前記基台によって支持されている放射線画像検出装置。
（１１）  上記（１）から（１０）のいずれか一つの放射線画像検出装置であって、前記バッテリー収容部は、前記筐体の底部に凹設されており、前記バッテリー収容部の深さ方向に関する前記ロック機構の寸法は、前記バッテリー収容部の深さ以下である放射線画像検出装置。
（１２）  上記（１）から（１１）のいずれか一つの放射線画像検出装置であって、前記バッテリーは、前記バッテリー収容部を囲む側壁部に係合する爪を縁部に有しており、前記ロック機構は、前記爪が設けられた前記バッテリーの縁部とは反対側の縁部を係止する放射線画像検出装置。
【符号の説明】
【００８７】
１     Ｘ線画像検出装置
２     ＦＰＤ（Ｘ線画像センサ）
３     基台
４     筐体
５     バッテリー
１０   天板部
１１   側壁部
１２   フロント部材
１３   バック部材
１４   バッテリー収容部
４０   ロック機構
４２   操作部
Ｄ１   ロック解除方向
Ｄ２   ロック解除方向
【図１】
0005557816.tif 000002
【図２】
0005557816.tif 000003
【図３】
0005557816.tif 000004
【図４】
0005557816.tif 000005
【図５】
0005557816.tif 000006
【図６】
0005557816.tif 000007
【図７】
0005557816.tif 000008
【図８】
0005557816.tif 000009
【図９】
0005557816.tif 000010
【図１０】
0005557816.tif 000011
【図１１】
0005557816.tif 000012
【図１２】
0005557816.tif 000013
【図１３】
0005557816.tif 000014
【図１４】
0005557816.tif 000015
【図１５】
0005557816.tif 000016
【図１６】
0005557816.tif 000017